(57)【特許請求の範囲】
【請求項１】
弾性金属薄板製の円形ドーム状可動接点と、上面開放で周囲壁の一部に窓部を有すると共に、上記円形ドーム状可動接点の外周下端が載ったコモン固定接点および上記円形ドーム状可動接点の中心と外周の中間位置の、上記円形ドーム状可動接点の中心と上記窓部を結ぶ中心線両側の第一、第二固定接点ならびに上記中心線上で窓部と反対側の第三固定接点を内底面に有した絶縁樹脂製のケースと、このケースの周囲壁により回転はしないが傾倒可能に支持されて上記円形ドーム状可動接点上に載せられ、下面の上記第一〜第三固定接点に対応した位置に第一〜第三押圧部をそれぞれ有し、上面の上記第一、第二押圧部に対応した位置には互いに対向する方向に傾斜した第一、第二傾斜部を、上記第三押圧部に対応した位置には上記窓部側が低くなった第三傾斜部をそれぞれ有する駆動体と、この駆動体上面中央の突起に、上記中心線の方向に長くなった中央孔が長手方向にスライド可能に係合して上記駆動体上に載り、上記駆動体の第一〜第三傾斜部それぞれに下面の第一〜第三当接部が当接することにより中立位置にあるように付勢されると共に、上記ケースの窓部から突出した操作部を一体に有する操作体と、この操作体が浮き上がらないように、上記ケース上面の開口部を覆うカバーからなる多方向操作スイッチ。
【請求項２】
第三傾斜部の勾配を第一および第二傾斜部の勾配よりもきつくした請求項１記載の多方向操作スイッチ。
【請求項３】
ケースの窓部から突出した操作体の操作部の、上記ケースの周囲壁外側位置に突部を設け、上記操作体が中立位置にある時の上記突部の位置に対応する上記窓部に、上記操作体が上記ケースの中心方向に動く際に上記突部が通る切欠き部を設けた請求項１または２に記載の多方向操作スイッチ。
【請求項４】
ケース内底面の中央部に支柱を設け、円形ドーム状可動接点および駆動体に設けた中心の貫通孔を上下動可能に通過させると共に、中心線の方向に長い操作体の中央孔をスライド可能に係合させた請求項１〜３のいずれか一つに記載の多方向操作スイッチ。
【請求項５】
円形ドーム状可動接点を絶縁樹脂製とし、少なくとも下面に導電層を設けた請求項１〜４のいずれか一つに記載の多方向操作スイッチ。
【発明の詳細な説明】
【０００１】
【発明の属する技術分野】
本発明は、主としてオーディオ機器、ゲーム機器、カーナビゲーションシステム等の各種電子機器の入力操作部等に使用され、操作部の揺動および押圧操作により駆動する多方向操作スイッチに関するものである。
【０００２】
【従来の技術】
従来のこの種の多方向操作スイッチについて、図１０〜図１３を用いて説明する。
【０００３】
図１０は従来の多方向操作スイッチのカバーを取除いた状態の平面図、図１１は同分解斜視図であり、同図において、１１は絶縁樹脂からなる上面開放の箱形のケースで、周囲壁の一部に窓部１１Ａを有すると共に、底面には、中央の円形支軸１１Ｂを囲んで、窓部１１Ａ側にコモン固定接点１２Ａ、左右に第一および第二固定接点１２Ｂおよび１２Ｃ、窓部１１Ａと反対側に第三固定接点１２Ｄ（いずれも、図１０において、点線で囲んだ斜線で示す）がそれぞれ配設され、これらの固定接点１２Ａ〜１２Ｄの各々と導通した四つのスイッチ端子が底面外周から突出している。
【０００４】
そして、１３は絶縁樹脂製の駆動体で、操作部１３Ａが窓部１１Ａから突出するようにケース１１内に収容され、揺動操作および中立位置での押圧操作が可能なように、長円形の中央孔１３Ｂを円形支軸１１Ｂに支持されていると共に、下面には細幅のリング状で対称位置に二つの可動接点１４Ａ，１４Ｂを有する弾性金属薄板製の可動接点体１４を保持している。
【０００５】
また、１５は弾性金属線製の捩りコイルばねで、駆動体１３の中央孔１３Ｂを囲む保持溝１３Ｃ内に収容されたコイル部両端のアーム部１５Ａ，１５Ｂがケース１１の段部１１Ｃ，１１Ｄに係止され、通常状態において、駆動体１３が回動範囲の中間位置にあり、しかも操作部１３Ａが外方向に押された中立位置にあるように付勢しており、この状態において、可動接点体１４の一方の可動接点１４Ａはコモン固定接点１２Ａに接触しているが、他方の可動接点１４Ｂは第一固定接点１２Ｂ、第二固定接点１２Ｃおよび第三固定接点１２Ｄの中間位置にあって、いずれの固定接点とも接触せず、いずれのスイッチ端子間も導通していない（可動接点体を点線で示したケースの平面図である図１２参照）。
【０００６】
なお、１６は駆動体１３、可動接点体１４、捩りコイルばね１５が収容されたケース１１の上面の開口部を覆うカバーである。
【０００７】
そして、この多方向スイッチの組立て方法は、まず、可動接点体１４を駆動体１３の下面にカシメ保持した後、捩りコイルばね１５のコイル部を駆動体１３上面の保持溝１３Ｃ内に容れると共に、アーム部１５Ａ，１５Ｂを撓ませながら駆動体１３の係止部１３Ｄ，１３Ｅにそれぞれ引っ掛けて仮保持させる。
【０００８】
次に、この状態の駆動体１３を、操作部１３Ａをケース１１の窓部１１Ａから突出させると共に中央孔１３Ｂに円形支軸１１Ｂを通すようにして、ケース１１内に収容するのであるが、この時、捩りコイルばね１５のアーム部１５Ａ，１５Ｂの先端をケース１１の段部１１Ｃ，１１Ｄに係止させる。
【０００９】
最後に、ケース１１上面の開口部をカバー１６で覆うことにより、多方向スイッチとして完成する。
【００１０】
以上のように構成された従来の多方向操作スイッチの動作は、図１０に示す中立状態において、まず、図１３（ａ）の揺動操作時のカバーを取除いた状態の平面図に矢印で示すように、ケース１１から突出した駆動体１３の操作部１３Ａに右方向への押し力を加えると、駆動体１３は、捩りコイルばね１５の付勢力に抗してアーム部１５Ａと１５Ｂの間を押し縮めながら円形支軸１１Ｂを支点として揺動し、その下面に保持された可動接点体１４の可動接点１４Ａ，１４Ｂはケース１１底面上を弾接摺動して、可動接点１４Ａはコモン固定接点１２Ａ上を右方向へ動き、可動接点１４Ｂは第一固定接点１２Ｂ上へ移動することにより、コモン固定接点１２Ａと第一固定接点１２Ｂの間が導通され、その信号は所定のスイッチ端子から導出される。
【００１１】
そして、上記の操作部１３Ａに加える押し力を除くと、捩りコイルばね１５の弾性復元力によって、駆動体１３は元の図１０の位置に戻り、再びいずれのスイッチ端子間も導通しない中立状態となる。
【００１２】
同様に、操作部１３Ａに左方向への押し力を加えると、コモン固定接点１２Ａと第二固定接点１２Ｃの間が導通される。
【００１３】
また、図１０の中立状態において、図１３（ｂ）の押圧操作時のカバーを取除いた状態の平面図に矢印で示すように、ケース１１から突出した駆動体１３の操作部１３Ａにケース１１中心方向への押し力を加えると、駆動体１３は捩りコイルばね１５の付勢力に抗して円形支軸１１Ｂに沿って長円形の中央孔１３Ｂの長手方向に押し込まれ、可動接点体１４の可動接点１４Ａはコモン固定接点１２Ａ上を下方へ動き、可動接点１４Ｂは第三固定接点１２Ｄ上へ移動することによって、コモン固定接点１２Ａと第三固定接点１２Ｄの間が導通され、その信号は所定のスイッチ端子から導出される。
【００１４】
そして、上記の操作部１３Ａに加える押し力を除くと、捩りコイルばね１５の弾性復元力によって、駆動体１３は元の図１０の位置に戻り、再び何れのスイッチ端子間も導通しない中立状態となる。
【００１５】
なお、以上のように操作部１３Ａに所定の方向の押し力を加えて動作させる際に、操作部１３Ａの根元部下面に設けられた突部１３Ｆが、操作部１３Ａに右または左方向の押し力を加える時はケース１１の周囲壁の外周に沿って動き、ケース１１の中心方向への押し力を加える時はケース１１の窓部１１Ａ中央の切欠き部１１Ｅ内に入り込むように設定されており、この多方向操作スイッチの誤動作を防止している。
【００１６】
【発明が解決しようとする課題】
しかしながら上記従来の多方向操作スイッチにおいては、弾性金属線製の捩りコイルばね１５および弾性金属薄板製で細幅の可動接点体１４を使用するが、これらの構成部材は個片単体としての取扱い時に絡みや変形を生じ易く、また組立て時に、捩りコイルばね１５は、駆動体１３およびケース１１に組み合わせる際に、アーム部１５Ａ，１５Ｂを撓ませながら保持させる必要があるため、非常に手間がかかり自動組立化も難しいという課題があった。
【００１７】
本発明は、このような従来の課題を解決するものであり、構成部材の取扱い時に絡みや変形が生じ難く、また組立作業に手間がかからず自動組立ても容易な多方向操作スイッチを提供することを目的とする。
【００１８】
【課題を解決するための手段】
上記目的を達成するために本発明の多方向操作スイッチは、内底面にコモン固定接点と中間位置の第一〜第三固定接点を有するケースのコモン固定接点上に円形ドーム状可動接点を載せ、この上に、第一〜第三固定接点に対応した位置の下面に第一〜第三押圧部を有し、上面に第一〜第三傾斜部を有する駆動体を載せ、さらにこの上に、各傾斜部に当接して中立位置にあるように付勢される第一〜第三当接部およびケースの窓部から突出する操作部を有する操作体を載せたものである。
【００１９】
これにより、構成部材の取扱い時に絡みや変形が生じ難く、また組立作業が簡単で自動組立ても容易な多方向操作スイッチを得ることができる。
【００２０】
【発明の実施の形態】
本発明の請求項１に記載の発明は、弾性金属薄板製の円形ドーム状可動接点と、上面開放で周囲壁の一部に窓部を有すると共に、上記円形ドーム状可動接点の外周下端が載ったコモン固定接点および上記円形ドーム状可動接点の中心と外周の中間位置の、上記円形ドーム状可動接点の中心と上記窓部を結ぶ中心線両側の第一、第二固定接点ならびに上記中心線上で窓部と反対側の第三固定接点を内底面に有した絶縁樹脂製のケースと、このケースの周囲壁により回転はしないが傾倒可能に支持されて上記円形ドーム状可動接点上に載せられ、下面の上記第一〜第三固定接点に対応した位置に第一〜第三押圧部をそれぞれ有し、上面の上記第一、第二押圧部に対応した位置には互いに対向する方向に傾斜した第一、第二傾斜部を、上記第三押圧部に対応した位置には上記窓部側が低くなった第三傾斜部をそれぞれ有する駆動体と、この駆動体上面中央の突起に、上記中心線の方向に長くなった中央孔が長手方向にスライド可能に係合して上記駆動体上に載り、上記駆動体の第一〜第三傾斜部それぞれに下面の第一〜第三当接部が当接することにより中立位置にあるように付勢されると共に、上記ケースの窓部から突出した操作部を一体に有する操作体と、この操作体が浮き上がらないように、上記ケース上面の開口部を覆うカバーからなる多方向操作スイッチとしたものであり、操作部に対して所定操作をすることにより、駆動体の各傾斜部と操作体の各当接部を介して弾性金属薄板製の円形ドーム状可動接点を部分反転動作させて所定の固定接点間を導通させることができるものが得られると共に、その構成部材の取扱い時にも絡みや変形が生じ難く、組立作業が簡単で自動組立ても容易な節度感を伴って動作する多方向操作スイッチを実現できるという作用を有する。
【００２１】
請求項２に記載の発明は、請求項１記載の発明において、第三傾斜部の勾配を第一および第二傾斜部の勾配よりもきつくしたものであり、操作部の揺動操作によりコモン固定接点と第一または第二固定接点の間を導通させる時の動作力よりも、操作部の押圧操作によりコモン固定接点と第三固定接点の間を導通させる時の動作力を大きくすることができるので、操作部の揺動操作時にコモン固定接点と第三固定接点が導通してしまうという誤動作が発生し難くできるという作用を有する。
【００２２】
請求項３に記載の発明は、請求項１または２に記載の発明において、ケースの窓部から突出した操作体の操作部の、上記ケースの周囲壁外側位置に突部を設け、上記操作体が中立位置にある時の上記突部の位置に対応する上記窓部に、上記操作体が上記ケースの中心方向に動く際に上記突部が通る切欠き部を設けたものであり、操作体が中立位置にある時のみに押圧操作することができ、操作体を揺動させた状態においては操作部を押圧操作することができず、また操作部に押し力を加えて操作体を押し込んだ状態において操作部を揺動操作することができないので、誤操作を容易に防止することができるという作用を有する。
【００２３】
請求項４に記載の発明は、請求項１〜３のいずれか一つに記載の発明において、ケース内底面の中央部に支柱を設け、円形ドーム状可動接点および駆動体に設けた中心の貫通孔を上下動可能に通過させると共に、中心線の方向に長い操作体の中央孔をスライド可能に係合させたものであり、操作部の揺動操作時および押圧操作時における操作体の動きが安定すると共に、組立て時のケースに対する駆動体および操作体の位置決めが安定するので、より組立作業が容易になるという作用を有する。
【００２４】
請求項５に記載の発明は、請求項１〜４のいずれか一つに記載の発明において、円形ドーム状可動接点を絶縁樹脂製とし、少なくとも下面に導電層を設けたものであり、円形ドーム状可動接点の節度感を伴った部分反転動作時の音が小さくできて、スイッチ操作時の動作音を規制できるという作用を有する。
【００２５】
以下、本発明の実施の形態について、図面を用いて説明する。
【００２６】
（実施の形態１）
図１は本発明の第１の実施の形態による多方向操作スイッチのカバーを取除いた状態の平面図、図２は同側面断面図、図３は図１のＰ−Ｐ線における断面図、図４は同分解斜視図、図５は同外観斜視図である。
【００２７】
同図において、１は絶縁樹脂からなる凹部を有する上面開放の箱形のケースで、周囲壁の一部に窓部１Ａを有すると共に、凹部の内底面の外周二箇所にコモン固定接点２を有し、凹部の中心と外周の中間位置には、上記中心と窓部１Ａを結ぶ中心線を挟んで両側に第一固定接点２Ａおよび第二固定接点２Ｂ、さらにこの中心線上で窓部１Ａと反対側に第三固定接点２Ｃをそれぞれ有しており、図１に示すように、これらの各接点と導通した五つのスイッチ端子３が底面外側から突出している。
【００２８】
そして、４は弾性金属薄板製の円形ドーム状可動接点（以下、可動接点４と記載する。）で、ケース１の凹部と中心位置を一致させるように外周下端４Ａがコモン固定接点２上に載せられてケース１内に収容され、通常状態においては、ドーム状部４Ｂの下面は、図２および図３に示すように、第一固定接点２Ａ、第二固定接点２Ｂおよび第三固定接点２Ｃと所定の絶縁間隔を保っている。
【００２９】
この可動接点４の上に載せられた５は樹脂製の駆動体で、ケース１の凹部の内周壁により回転はしないが傾倒可能に支持され、図２および図３に示すように、その下面には、上記の第一固定接点２Ａ〜第三固定接点２Ｃのそれぞれに対応した位置に第一押圧部５Ａ〜第三押圧部５Ｃとしての角部をそれぞれ有しており、また上面には、第一押圧部５Ａ、第二押圧部５Ｂに対応した位置に、互いに中央側が低くなるように対向配置された第一傾斜部５Ｄ、第二傾斜部５Ｅを、第三押圧部５Ｃに対応した位置に、ケース１の窓部１Ａ側が低くなった第三傾斜部５Ｆをそれぞれ有している。
【００３０】
この駆動体５の上に載せられた６は樹脂製の操作体で、ケース１の凹部中心と窓部１Ａを結ぶ中心線に沿った平板状の先端が窓部１Ａから突出して操作部６Ａを形成すると共に、ケース１の凹部の中心部に対応する位置には中央孔６Ｂが設けられているが、この中央孔６Ｂは上記中心線の方向に長い長円形で、図１に示すように、駆動体５上面中央の円形の突起５Ｇと長手方向にスライド可能に係合している。
【００３１】
そして、この操作体６の平板部６Ｃの下面には、上記駆動体５の第一傾斜部５Ｄ〜第三傾斜部５Ｆに対応した位置に円形断面の第一当接部６Ｄ〜第三当接部６Ｆを有しており、図２および図３に示すように、それぞれの当接部６Ｄ〜６Ｆが各傾斜部５Ｄ〜５Ｆの所定の位置に当接していると共に、浮き上がったりガタツキを生じたりしないように、ケース１上面の開口部を覆うカバー７により、操作体６の上面の位置は規制されている。
【００３２】
これにより、操作体６は、平板部６Ｃ中間部下面の第一当接部６Ｄ、第二当接部６Ｅが互いに対向した方向の第一傾斜部５Ｄ、第二傾斜部５Ｅの二つの傾斜面に挟まれて、操作体６すなわち操作部６Ａは揺動操作範囲の中間位置にあるように付勢されていると共に、平板部６Ｃ先端の第三当接部６Ｆがケース１の窓部１Ａ側が低くなった第三傾斜部５Ｆに当接して、操作体６は窓部１Ａ側すなわち操作部６Ａが突出する方向に付勢されている。
【００３３】
そして、この多方向操作スイッチの組立方法は、箱形のケース１に対して、上面の開口部から、まず可動接点４を挿入してコモン固定接点２上に載せ、次にこの上に駆動体５を、第一傾斜部５Ｄおよび第二傾斜部５Ｅのある側が窓部１Ａ側となり突起５Ｇが上方となるように載せ、さらにこの上に操作体６を、操作部６Ａがケース１の窓部１Ａから突出すると共に中央孔６Ｂに駆動体５上面の突起５Ｇが係合するように載せ、最後にケース１の上面開口部を塞ぐようにカバー７を載せて、図５に示すように、カバー７の脚部７Ａを内側に折り曲げてケース１の周囲壁外側の段部１Ｂに引掛けて止めることにより完成する。
【００３４】
この多方向操作スイッチは、このように非常に簡単に組み立てることができ、自動組立て化も容易である。
【００３５】
次に、以上のように構成されたこの多方向操作スイッチの動作について説明する。
【００３６】
図１に示す中立状態において、まず図６（ａ）の揺動操作時のカバーを取除いた状態の平面図に矢印で示すように、ケース１の窓部１Ａから突出した操作体６の操作部６Ａに右方向への押し力を加えると、操作体６は駆動体５の円形の突起５Ｇを支点として揺動し、図６（ａ）のＱ−Ｑ線における断面図である同図（ｂ）に矢印で示すように、その平板部６Ｃ下面の第一当接部６Ｄが駆動体５の第一傾斜部５Ｄを図６（ｂ）において左方向に押しながら移動するため、駆動体５は上面側方の角部５Ｈを支点として傾くこととなり、第一傾斜部５Ｄ下面の第一押圧部５Ａが、可動接点４のドーム状部４Ｂを下方に押して節度感を伴いながら部分反転動作させて下方の第一固定接点２Ａに接触させる。
【００３７】
これにより、可動接点４を介してコモン固定接点２と第一固定接点２Ａの間は導通され、その信号は各接点と導通したスイッチ端子３から導出される。
【００３８】
そして、操作部６Ａに加える押し力を除くと、部分反転していた可動接点４が弾性復元力により元の円形ドーム形状に復帰することによって駆動体５は上方に押し戻され、駆動体５の第一傾斜部５Ｄが操作体６の第一当接部６Ｄを図６（ｂ）における右方向へ押すことによって、操作体６は元の中立状態である図１の位置に復帰して通常状態に戻る。
【００３９】
同様に、操作部６Ａに左方向への押し力を加えると、コモン固定接点２と第二固定接点２Ｂの間が導通される。
【００４０】
また、図１の中立状態において、図７（ａ）の押圧操作時のカバーを取除いた状態の平面図に矢印で示すように、ケース１から突出した操作部６Ａにケース１の中心方向への押し力を加えると、操作体６は駆動体５の突起５Ｇに係合した長円形の中央孔６Ｂの長手方向に沿って押し込まれ、図７（ａ）のＲ−Ｒ線における断面図である同図（ｂ）に矢印で示すように、その平板部６Ｃ先端の第三当接部６Ｆが駆動体５の第三傾斜部５Ｆを図７（ｂ）において右方向に押しながら移動することとなり、駆動体５は上面前方の角部５Ｉを支点として傾き、第三傾斜部５Ｆ下面の第三押圧部５Ｃが、可動接点４のドーム状部４Ｂを部分的に下方へ押して節度感を伴いながら部分反転動作させて下方の第三固定接点２Ｃに接触させる。
【００４１】
これにより、可動接点４を介してコモン固定接点２と第三固定接点２Ｃの間が導通され、その信号は各接点と導通したスイッチ端子３から導出される。
【００４２】
そして、操作部６Ａに加える押し力を除くと、可動接点４の弾性復元力によって駆動体５および操作体６は元の中立状態である図１の位置に復帰する。
【００４３】
以上のように本実施の形態によれば、構成部材の取扱い時に絡みや変形が生じ難く、また組立作業が簡単で自動組立ても容易であると共に、節度感を伴って動作する多方向操作スイッチを得ることができるものである。
【００４４】
なお、上記の構成において、操作体６の第三当接部６Ｆが当接している駆動体５の第三傾斜部５Ｆの勾配を、操作体６の第一当接部６Ｄおよび第二当接部６Ｅが当接している駆動体５の第一傾斜部５Ｄおよび第二傾斜部５Ｅの勾配よりもきつく設定しておくことによって、操作部６Ａを押圧操作してコモン固定接点２と第三固定接点２Ｃとの間を導通させる時の動作力を、操作部６Ａを右方向または左方向に揺動操作してコモン固定接点２と第一固定接点２Ａまたは第二固定接点２Ｂと導通させる時の動作力よりも大きくすることができ、操作部６Ａの揺動操作時にコモン固定接点２と第三固定接点２Ｃが導通してしまうという誤動作を起こり難くすることができる。
【００４５】
そして、駆動体５の第一傾斜部５Ｄと第二傾斜部５Ｅの勾配は必ずしも同じにしておく必要はなく、両者の勾配を変えることによって、操作部６Ａを右および左方向に揺動操作する時の操作力に差をつけることもできるものである。
【００４６】
また、操作体６の操作部６Ａの根元部下面に設けた突部６Ｇは、図６（ａ）に示すように、操作部６Ａに右または左方向の押し力を加えて揺動操作する時はケース１の周囲壁の外周に沿って動き、図７（ａ）に示すように、操作部６Ａにケース１の中心方向への押し力を加えて押圧操作する時には、ケース１の窓部１Ａ中央の切欠き部１Ｃ内に入り込むように設定されており、この多方向操作スイッチの誤動作を防止するためのものである。
【００４７】
以上のように本実施の形態によれば、駆動体５の各傾斜部５Ｄ〜５Ｆと操作体６の各当接部６Ｄ〜６Ｆを介して円形ドーム状可動接点４を部分反転動作させる構成なので、構成部材の取扱い時に絡みや変形が生じ難く、また組立作業が簡単で自動組立ても容易であると共に、節度感を伴って確実に動作する多方向操作スイッチを実現できるものである。
【００４８】
（実施の形態２）
図８は本発明の第２の実施の形態による多方向操作スイッチの側面断面図、図９は同分解斜視図である。
【００４９】
本実施の形態による多方向操作スイッチは、上記実施の形態１によるものに対して、操作体を係合保持する部分の構成が異なるものであり、その他の構成は上記実施の形態１による多方向操作スイッチと同じであるので、同一部分には同一符号を付して説明を省略し、上記の異なる点について説明する。
【００５０】
すなわち、図８および図９に示す本実施の形態による多方向操作スイッチにおいて、絶縁樹脂からなる箱形のケース８の内底面の中央には円形の支柱８Ａが設けられ、このケース８内に収容される弾性金属薄板製の円形ドーム状可動接点９および樹脂製の駆動体１０には、支柱８Ａを通すための貫通孔９Ａおよび１０Ａがあけられていると共に、上方に伸びた支柱８Ａの先端に対して操作体６の長円形の中央孔６Ｂが長手方向にスライド可能に係合している点が実施の形態１による多方向操作スイッチと異なるが、その他の部分は同じである。
【００５１】
そして、この多方向操作スイッチの組立方法および動作も実施の形態１によるものと基本的に同じであるので詳しい説明は省略するが、上記のような構成とすることにより、本多方向操作スイッチを組み立てる際の、ケース８に対する円形ドーム状可動接点９、駆動体１０および操作体６の位置決めがより確実となるために組立作業性を容易に向上させることができると共に、操作体６を揺動操作および押圧操作する時の、操作体６の中央孔６Ｂの支持が安定しているので、より確実な動作をさせるようにできるものである。
【００５２】
なお、以上の実施の形態１および２の説明において、円形ドーム状可動接点は弾性金属薄板製であるとして説明したが、これを弾性を有する絶縁樹脂で形成し、下面に導電層を設けたものとすることによって、円形ドーム状可動接点の節度感を伴った部分反転動作時の音が小さくできて、操作時に節度感はあるが動作音を規制した多方向操作スイッチとすることができる。
【００５３】
【発明の効果】
以上のように本発明によれば、構成部材の取扱い時に絡みや変形が生じ難く、また組立作業が簡単で自動組立ても容易であると共に、節度感を伴って動作する多方向操作スイッチを実現できるという有利な効果が得られる。
【図面の簡単な説明】
【図１】本発明の第１の実施の形態による多方向操作スイッチのカバーを取除いた状態の平面図
【図２】同側面断面図
【図３】図１のＰ−Ｐ線における断面図
【図４】同分解斜視図
【図５】同外観斜視図
【図６】（ａ）同揺動操作時のカバーを取除いた状態の平面図
（ｂ）図６（ａ）のＱ−Ｑ線における断面図
【図７】（ａ）同押圧操作時のカバーを取除いた状態の平面図
（ｂ）図７（ａ）のＲ−Ｒ線における断面図
【図８】本発明の第２の実施の形態による多方向操作スイッチの側面断面図
【図９】同分解斜視図
【図１０】従来の多方向操作スイッチのカバーを取除いた状態の平面図
【図１１】同分解斜視図
【図１２】同要部である可動接点体を点線で示したケースの平面図
【図１３】（ａ）同揺動操作時のカバーを取除いた状態の平面図
（ｂ）同押圧操作時のカバーを取除いた状態の平面図
【符号の説明】
１，８  ケース
１Ａ  窓部
１Ｂ  段部
１Ｃ  切欠き部
２  コモン固定接点
２Ａ  第一固定接点
２Ｂ  第二固定接点
２Ｃ  第三固定接点
３  スイッチ端子
４，９  円形ドーム状可動接点
４Ａ  外周下端
４Ｂ  ドーム状部
５，１０  駆動体
５Ａ  第一押圧部
５Ｂ  第二押圧部
５Ｃ  第三押圧部
５Ｄ  第一傾斜部
５Ｅ  第二傾斜部
５Ｆ  第三傾斜部
５Ｇ  突起
５Ｈ，５Ｉ  角部
６  操作体
６Ａ  操作部
６Ｂ  中央孔
６Ｃ  平板部
６Ｄ  第一当接部
６Ｅ  第二当接部
６Ｆ  第三当接部
６Ｇ  突部
７  カバー
７Ａ  脚部
８Ａ  支柱
９Ａ，１０Ａ  貫通孔
【図１】
0003849374.tif 000002
【図２】
0003849374.tif 000003
【図３】
0003849374.tif 000004
【図４】
0003849374.tif 000005
【図５】
0003849374.tif 000006
【図６】
0003849374.tif 000007
【図７】
0003849374.tif 000008
【図８】
0003849374.tif 000009
【図９】
0003849374.tif 000010
【図１０】
0003849374.tif 000011
【図１１】
0003849374.tif 000012
【図１２】
0003849374.tif 000013
【図１３】
0003849374.tif 000014